(57)【特許請求の範囲】
【請求項１】
複数種の金種の貨幣のいずれかを受け付けて遊技媒体の貸出用の記憶媒体を発行する機能と、発行された記憶媒体を用いて遊技媒体を貸し出す機能とを具備する遊技媒体貸出機を各遊技機に対応させるようにして、複数台の遊技機と複数台の遊技媒体貸出機とを整列状態で配備して島が構成されるとともに、前記島には、貨幣回収機構と、各遊技媒体貸出機で受け付けられかつ送り出された貨幣を前記貨幣回収機構まで搬送する搬送路を具備する貨幣搬送機構とが設けられて成る遊技場システムにおいて、
各遊技媒体貸出機は、受け付けられた貨幣の真偽および金種を判別する貨幣処理部と、前記複数種の金種の貨幣の中で金額価値が最も低い特定の金種の貨幣を釣り銭として複数枚収納する釣り銭収納部と、受け付けられた貨幣の金額価値の範囲内で前記特定の金種の貨幣の金額価値またはその複数倍の金額価値に相当する価値の記憶媒体を発行する記憶媒体発行手段と、前記特定の金種以外の金種の貨幣を受け付けてその金額価値を下回る価値の記憶媒体が発行されたとき、両者の差額に相当する数の特定の金種の貨幣を前記釣り銭収納部から払い出す釣り銭払出手段と、受け付けられて貨幣処理部による判別処理が完了した貨幣を前記貨幣搬送機構の搬送路に搬出する貨幣搬出機構と、前記貨幣搬送機構の搬送路より前記特定の金種の貨幣を取り込んで前記釣り銭収納部に搬送する貨幣取込機構と、前記貨幣搬出機構および貨幣取込機構ならびに釣り銭収納部における貨幣の導出入を制御する制御部とを具備し、
前記貨幣搬送機構の搬送路と各遊技媒体貸出機との連絡位置には、それぞれ前記特定の金種の貨幣を検出するための検出手段が、対応する遊技媒体貸出機の制御部に電気接続された状態で配備され、
各遊技媒体貸出機の前記制御部は、
前記釣り銭収納部への貨幣の収納および釣り銭収納部からの釣り銭の払出に応じて釣り銭収納部内の貨幣の保有数を計数する計数手段と、
前記貨幣処理部が特定の金種以外の金種の貨幣を受け付けたと判別したとき、および前記釣り銭収納部における特定の金種の貨幣の保有数が上限値に達している状態で貨幣処理部が特定の金種の貨幣を受け付けたと判別したときには、受け付けられた貨幣を前記貨幣搬出機構に搬出させる一方、前記釣り銭収納部における特定の金種の貨幣の保有数が前記上限値を下回る状態で前記貨幣処理部が特定の金種の貨幣を受け付けたと判別したときには、前記受け付けられた貨幣を貨幣搬出機構に搬出させる処理を行わずに当該貨幣を前記釣り銭収納部に収納させる受付貨幣処理手段と、
前記釣り銭収納部における特定の金種の貨幣の保有数が前記上限値より小さい所定の下限値を下回る状態になったとき、電気接続された前記検出手段からの入力に基づき前記搬送路内を搬送される前記特定の金種の貨幣を検出するとともに、検出された貨幣を前記貨幣取込機構に取り込ませる制御と、取り込まれた貨幣を前記釣り銭収納部に収納させる制御とを実行する貨幣取込制御手段とを、具備することを特徴とする遊技場システム。
【請求項２】
請求項１に記載された遊技場システムにおいて、
前記遊技媒体貸出機からの補充要求信号に応じて前記貨幣回収機構に前記特定の金種の貨幣を前記貨幣搬送機構の搬送路に送出させる制御を実行する管理装置を、さらに備え、
各遊技媒体貸出機は、前記管理装置と通信するための通信手段と、前記釣り銭収納部における特定の金種の貨幣の保有数が前記下限値を下回る状態になってからの経過時間を計時するための計時手段とをさらに備え、
前記貨幣取込制御手段は、前記釣り銭収納部における特定の金種の貨幣の保有数が前記下限値を下回る状態になったことに応じて前記計時手段に計時処理を開始させるとともに、検出手段からの入力に基づき検出された前記特定の金種の貨幣が前記貨幣取込機構により取り込まれて釣り銭収納部に収納されたことに応じて前記計時手段の計時処理を停止する計時制御手段と、前記計時手段により計時された時間が所定の規定時間に達するまでの間に前記特定の金種の貨幣を検出できなかったとき、前記管理装置に前記補充要求信号を出力する補充要求出力手段とを具備する、遊技場システム。
【請求項３】
前記各遊技媒体貸出機の前記貨幣搬出機構には、受け付けられて貨幣処理部による判別処理が完了した貨幣を貨幣処理部から前記貨幣搬送機構の搬送路まで搬送する搬出ガイドが、前記貨幣取込機構には、前記特定の貨幣を取り込んで釣り銭収納部まで搬送する搬入ガイドが、それぞれ設けられるとともに、各遊技媒体貸出機に、前記搬出ガイドと搬入ガイドとを連通させて、前記貨幣処理部から貨幣搬送機構の搬送路に搬送される途中の貨幣の搬送方向を前記搬入ガイドに向かう方向に切り替えるための連絡ガイドと、前記搬出ガイドの連絡を前記貨幣搬送機構の搬送路および前記連絡ガイドのいずれかに切り替えるための通路切替機構とが設けられ、
前記受付貨幣処理手段は、前記貨幣処理部が特定の金種の貨幣を受け付けたと判別したときの前記釣り銭収納部における特定の金種の貨幣の保有数が前記上限値に達している場合には、前記搬出ガイドが前記貨幣搬送機構の搬送路に連通するように通路切替機構を制御することにより、受け付けられた貨幣を貨幣処理部から前記貨幣搬送機構の搬送路まで搬送し、前記貨幣処理部が特定の金種の貨幣を受け付けたと判別したときの前記釣り銭収納部における特定の金種の貨幣の保有数が前記上限値を下回る場合には、前記搬出ガイドが前記連絡ガイドに連通するように通路切替機構を制御することにより、受け付けられた貨幣を前記貨幣処理部から搬出ガイドおよび連絡ガイドならびに搬入ガイドを介して前記釣り銭収納部まで搬送する、請求項１に記載された遊技場システム。
【請求項４】
前記貨幣搬送機構は、複数の金種の貨幣を混在させて搬送する搬送路を有し、前記検出手段として、前記複数の金種の貨幣から前記特定の金種の貨幣を選別するための貨幣判別器が配備される、請求項１または２に記載された遊技場システム。
【請求項５】
貨幣回収機構と、この貨幣回収機構に貨幣を搬送する搬送路を具備する貨幣搬送機構とを有する島内において、遊技機の遊技媒体を遊技者へ貸し出すために当該遊技機に対応づけられて配備され、複数種の金種の貨幣のいずれかを受け付けて遊技媒体の貸出用の記憶媒体を発行する機能と、発行された記憶媒体を用いて遊技媒体を貸し出す機能と、受け付けた貨幣を前記貨幣搬送機構に送り出す機能と、釣り銭のための特定の金種の貨幣を前記貨幣搬送機構より取り込む機能とを具備する遊技媒体貸出機であって、
受け付けられた貨幣の真偽および金種を判別する貨幣処理部と、前記複数種の金種の貨幣の中で金額価値が最も低い特定の金種の貨幣を釣り銭として複数枚収納する釣り銭収納部と、受け付けられた貨幣の金額価値の範囲内で前記特定の金種の貨幣の金額価値またはその複数倍の金額価値に相当する価値の記憶媒体を発行する記憶媒体発行手段と、前記特定の金種以外の金種の貨幣を受け付けてその金額価値を下回る価値の記憶媒体が発行されたとき、両者の差額に相当する数の特定の金種の貨幣を前記釣り銭収納部から払い出す釣り銭払出手段と、受け付けられて貨幣処理部による判別処理が完了した貨幣を前記貨幣搬送機構の搬送路に搬出する貨幣搬出機構と、前記貨幣搬送機構の搬送路より前記特定の金種の貨幣を取り込んで前記釣り銭収納部に搬送する貨幣取込機構と、前記貨幣搬出機構および貨幣取込機構ならびに釣り銭収納部における貨幣の導出入を制御する制御部とを具備するとともに、前記特定の金種の貨幣を検出するために前記搬送路に設けられた検出手段に前記制御部が電気接続された状態で前記島内に配備され、
前記制御部は、
前記釣り銭収納部への貨幣の収納および釣り銭収納部からの釣り銭の払出に応じて釣り銭収納部内の貨幣の保有数を計数する計数手段と、
前記貨幣処理部が特定の金種以外の金種の貨幣を受け付けたと判別したとき、および前記釣り銭収納部における特定の金種の貨幣の保有数が上限値に達している状態で貨幣処理部が特定の金種の貨幣を受け付けたと判別したときには、受け付けられた貨幣を前記貨幣搬出機構に搬出させる一方、前記釣り銭収納部における特定の金種の貨幣の保有数が前記上限値を下回る状態で前記貨幣処理部が特定の金種の貨幣を受け付けたと判別したときには、受け付けられた貨幣を貨幣搬出機構に搬出させる処理を行わずに当該貨幣を前記釣り銭収納部に収納させる受付貨幣処理手段と、
前記釣り銭収納部における特定の金種の貨幣の保有数が前記上限値より小さい所定の下限値を下回る状態になったとき、電気接続された前記検出手段からの入力に基づき前記搬送路内を搬送される前記特定の金種の貨幣を検出するとともに、検出された貨幣を前記貨幣取込機構に取り込ませる制御と、取り込まれた貨幣を前記釣り銭収納部に収納させる制御とを実行する貨幣取込制御手段とを、具備することを特徴とする遊技媒体貸出機。
【請求項６】
請求項５に記載された遊技媒体貸出機において、
当該遊技媒体貸出機からの補充要求信号に応じて前記貨幣回収機構に前記特定の金種の貨幣を前記貨幣搬送機構の搬送路に送出させる制御を実行する外部の管理装置と通信するための通信手段と、前記釣り銭収納部における特定の金種の貨幣の保有数が前記下限値を下回る状態になってからの経過時間を計時するための計時手段とをさらに備え、
前記貨幣取込制御手段は、前記釣り銭収納部における特定の金種の貨幣の保有数が前記下限値を下回る状態になったことに応じて前記計時手段に計時処理を開始させるとともに、検出手段からの入力に基づき検出された前記特定の金種の貨幣が前記貨幣取込機構により取り込まれて釣り銭収納部に収納されたことに応じて前記計時手段の計時処理を停止する計時制御手段と、前記計時手段により計時された時間が所定の規定時間に達するまでの間に前記特定の金種の貨幣を検出することができなかったとき、前記管理装置に対し、前記貨幣回収機構に特定の金種の貨幣を送出させる制御の実行を要求する補充要求信号を出力する、遊技媒体貸出機。
【発明の詳細な説明】
【０００１】
【産業上の利用分野】
この発明は、パチンコホールのような遊技場に適用される遊技場システムに関し、特に、この発明は、スロットマシンやパチンコ機のような遊技機が多数台並べられる島に、各遊技機に対応させて遊技媒体貸出機がそれぞれ設けられて成る遊技場システムに関する。
【０００２】
【従来の技術】
近年のパチンコホールでは、遊技者が好みの遊技機から離れずに、遊技用メダルやパチンコ玉などの遊技媒体を借りることができるように、各島では、隣合う遊技機の間に「台間機」と呼ばれる遊技媒体貸出機（以下、「台間機」という。）を介在させている。
【０００３】
各台間機の前面には、紙幣の投入を受け付ける紙幣受付口が設けてあり、遊技者が紙幣受付口へ紙幣を投入すると、投入金額に応じた個数の遊技媒体が遊技者へ貸し出される。この遊技媒体の貸出は、遊技媒体を直接、放出口より放出する型式のものや、投入金額に応じた度数の電気信号を隣の特定の遊技機へ伝送して遊技媒体を貸し出す型式のものなどがある。
【０００４】
また、近年、プリペイドカードの普及に伴い、パチンコホールでは、プリペイドカードのような遊技用カードを用いて遊技媒体を貸し出すようにした遊技媒体貸出システムも導入されている。
この種の遊技媒体貸出システムは、遊技場の適所に、金額価値が異なる複数種の遊技用カードを発売するカード発行機を配置しておき、遊技者は、所望の金額価値の遊技用カードをカード発行機で購入した後、その遊技用カードを台間機に投入して、遊技媒体の貸出を受ける、というものである。
【０００５】
ところが、この遊技媒体貸出システムでは、遊技者が遊技用カードを使い尽くした場合、遊技を継続したければ、遊技機から離れてカード発行機まで足を運んで新しい遊技用カードを購入する必要がある。
この遊技者の煩雑さを解消するために、出願人は先般、前記台間機に遊技用カードの発行機能を付加したものを提案した。この台間機では、遊技者が台間機へ紙幣を投入すると、カード出入口より遊技用カードが発行され、その発行された遊技用カードを、その台間機や他の台間機のカード出入口へ投入すると、遊技用カードの金額価値に応じた度数の電気信号が隣の特定の遊技機へ伝送される。
【０００６】
ところで、各島の遊技機の設置台数を増すには、台間機を薄型に設計する必要がある。ところが、台間機を薄くすると、機体の内部に、受け付けた紙幣を回収して収納する金庫や釣り銭を収納する釣り銭収納庫を設置する空間を確保するのが困難となる。
釣り銭収納庫を不要化するには、例えば千円札のみを受け付け、千円相当の遊技用カードのみを発行するように台間機を構成すればよい。また、金庫を不要化するには、島の内部に島端の貨幣回収機構へ貨幣を搬送するための貨幣搬送機構を配備し、各台間機で受け付けた貨幣を貨幣搬送機構へ搬出する方式を採用すればよい。
【０００７】
【発明が解決しようとする課題】
しかしながら、前記した千円札専用の台間機では、構造の簡易化や小型化を実現できる反面、１万円札のような高額紙幣しか所持していない遊技者は、両替所や両替機まで足を運んで両替する必要があるため、遊技者の煩雑さを完全に解消できない。
高額紙幣の使用を可能とするには、薄型の台間機については、小容量の釣り銭収納庫を設けるより他はないが、これだと釣り銭不足が頻繁に発生するため、係員は釣り銭の補充に多大の労力を要する。この問題は、貨幣の投入により遊技媒体を直接放出口より放出する方式の台間機についても同様である。
【０００８】
この発明は、上記した問題に着目してなされたもので、遊技媒体貸出機に釣り銭収納部を設け、釣り銭収納部の釣り銭が不足したとき、人手によらずに自動的に釣り銭を補充できる構成とすることにより、薄型の遊技媒体貸出機であっても、釣り銭を必要とする高額紙幣を使用でき、しかも、釣り銭不足を頻繁に発生させるおそれのない遊技場システムを提供することを目的とする。
【０００９】
【課題を解決するための手段】
請求項１の発明は、複数種の金種の貨幣のいずれかを受け付けて遊技媒体の貸出用の記憶媒体を発行する機能と、発行された記憶媒体を用いて遊技媒体を貸し出す機能とを具備する遊技媒体貸出機を各遊技機に対応させるようにして、複数台の遊技機と複数台の遊技媒体貸出機とを整列状態で配備して島が構成されるとともに、前記島には、貨幣回収機構と、各遊技媒体貸出機で受け付けられかつ送り出された貨幣を貨幣回収機構まで搬送する搬送路を具備する貨幣搬送機構とが設けられて成る遊技場システムにおいて、各遊技媒体貸出機は、受け付けられた貨幣の真偽および金種を判別する貨幣処理部と、複数種の金種の貨幣の中で金額価値が最も低い特定の金種の貨幣を釣り銭として複数枚収納する釣り銭収納部と、受け付けられた貨幣の金額価値の範囲内で前記特定の金種の貨幣の金額価値またはその複数倍の金額価値に相当する価値の記憶媒体を発行する記憶媒体発行手段と、前記特定の金種以外の金種の貨幣を受け付けてその金額価値を下回る価値の記憶媒体が発行されたとき、両者の差額に相当する数の特定の金種の貨幣を前記釣り銭収納部から払い出す釣り銭払出手段と、受け付けられる貨幣処理部による判別処理が完了した貨幣を前記貨幣搬送機構の搬送路に搬出する貨幣搬出機構と、前記貨幣搬送機構の搬送路より前記特定の金種の貨幣を取り込んで前記釣り銭収納部に搬送する貨幣取込機構と、前記貨幣搬出機構および貨幣取込機構ならびに釣り銭収納部における貨幣の導出入を制御する制御部とを具備する。また、貨幣搬送機構の搬送路と各遊技媒体貸出機との連絡位置には、それぞれ前記特定の金種の貨幣を検出するための検出手段が、対応する遊技媒体貸出機の制御部に電気接続された状態で配備される。
さらに、各遊技媒体貸出機の前記制御部は、前記釣り銭収納部への貨幣の収納および釣り銭収納部からの釣り銭の払出に応じて釣り銭収納部内の貨幣の保有数を計数する計数手段と、貨幣処理部が特定の金種以外の金種の貨幣を受け付けたと判別したとき、および前記釣り銭収納部における特定の金種の貨幣の保有数が上限値に達している状態で貨幣処理部が特定の金種の貨幣を受け付けたと判別したときには、受け付けられた貨幣を前記貨幣搬出機構に搬出させる一方、前記釣り銭収納部における特定の金種の貨幣の保有数が前記上限値を下回る状態で貨幣処理部が特定の金種の貨幣を受け付けたと判別したときには、受け付けられた貨幣を貨幣搬出機構に搬出させる処理を行わずに当該貨幣を前記釣り銭収納部に収納させる受付貨幣処理手段と、前記釣り銭収納部における特定の金種の貨幣の保有数が前記上限値より小さい所定の下限値を下回る状態になったとき、電気接続された前記検出手段からの入力に基づき前記搬送路内を搬送される前記特定の金種の貨幣を検出するとともに、検出された貨幣を前記貨幣取込機構に取り込ませる制御と、取り込まれた貨幣を前記釣り銭収納部に収納させる制御とを実行する貨幣取込制御手段とを、具備する。
請求項５の発明の遊技媒体貸出機も、上記と同様の構成を具備するものである。
【００１０】
請求項２の発明では、遊技媒体貸出機からの補充要求信号に応じて前記貨幣回収機構に前記特定の金種の貨幣を前記貨幣搬送機構の搬送路に送出させる制御を実行する管理装置が、さらに設けられる。また、各遊技媒体貸出機は、前記管理装置と通信するための通信手段と、前記釣り銭収納部における特定の金種の貨幣の保有数が前記下限値を下回る状態になってからの経過時間を計時するための計時手段を備える。また前記貨幣取込制御手段は、釣り銭収納部における特定の金種の貨幣の保有数が前記下限値を下回る状態になったことに応じて前記計時手段に計時処理を開始させるとともに、検出手段からの入力に基づき検出された前記特定の金種の貨幣が前記貨幣取込機構により取り込まれて釣り銭収納部に収納されたことに応じて前記計時手段の計時処理を停止する計時制御手段と、計時手段により計時された時間が所定の規定時間に達するまでの間に前記特定の金種の貨幣を検出できなかったとき、前記管理装置に前記補充要求信号を出力する補充要求出力手段とを具備する。
請求項６の発明の遊技媒体貸出機も、上記と同様の構成を具備する。
【００１１】
請求項３の発明では、前記各遊技媒体貸出機には、受け付けられた貨幣処理部による判別処理が完了した貨幣を貨幣処理部から前記貨幣搬送機構の搬送路まで搬送する搬出ガイドが、前記貨幣取込機構には、前記特定の貨幣を取り込んで釣り銭収納部まで搬送する搬入ガイドが、それぞれ設けられるとともに、各遊技媒体貸出機に前記搬出ガイドと搬入ガイドとを連通させて、貨幣処理部から貨幣搬送路の搬送路に搬送される途中の貨幣の搬送方向を前記搬入ガイドに向かう方向に切り替えるための連絡ガイドと、前記搬出ガイドの連絡を前記貨幣搬送機構の搬送路および前記連絡ガイドのいずれかに切り替えるための通路切替機構とがさらに設けられる。また、受付貨幣処理手段は、貨幣処理部が特定の金種の貨幣を受け付けたと判別したときの前記釣り銭収納部における特定の金種の貨幣の保有数が前記上限値に達している場合には、前記搬出ガイドが前記貨幣搬送機構の搬送路に連通するように通路切替機構を制御することにより、受け付けられた貨幣を貨幣処理部から前記貨幣搬送機構の搬送路まで搬出し、前記貨幣処理部が特定の金種の貨幣を受け付けたと判別したときの前記釣り銭収納部における特定の金種の貨幣の保有数が前記上限値を下回る場合には、前記搬出ガイドが前記連絡ガイドに連通するように通路切替機構を制御することにより、受け付けられた貨幣を前記搬出ガイドおよび連絡ガイドならびに搬入ガイドを介して前記釣り銭収納部まで搬送する。
【００１２】
請求項４の発明では、前記貨幣搬送機構は、複数の金種の貨幣を混在させて搬送する搬送路を有し、前記検出手段として、前記複数の金種の貨幣から前記特定の金種の貨幣を選別するための貨幣判別器が配備される。
【００１４】
【作用】
各遊技媒体貸出機では、釣り銭収納部には特定の金種の貨幣を複数枚収納するとともに、特定の金種の貨幣または特定の金種より金額価値が高い貨幣を受け付けて、遊技媒体の貸出用の記憶媒体を発行する。ここで特定の金種以外の貨幣を受け付けて、その金額価値を下回る価値の記憶媒体を発行した場合には、両者の差額に相当する数の特定の金種の貨幣を釣り銭収納部から搬出することにより、釣り銭が払い出される。
また各遊技媒体貸出機では、特定の金種以外の金種の貨幣を受け付けたとき、および釣り銭収納部における特定の金種の貨幣の保有数が上限値に達している状態で特定の金種の貨幣を受け付けたときには、受け付けられた貨幣を貨幣搬送機構の搬送路に搬出するが、釣り銭収納部における特定の金種の貨幣の保有数が上限値を下回る場合で特定の金種の貨幣を受け付けた場合には、受け付けられた貨幣を搬出せずに釣り銭回収部に収納する。
また釣り銭収納部における特定の金種の貨幣の保有数が下限値を下回る状態になって釣り銭不足が発生すると、貨幣取込機構により、貨幣搬送機構の搬送路から釣り銭のための特定の金種の貨幣が取り込まれて、釣り銭収納部に収納される。
【００１５】
請求項２および請求項６の発明では、釣り銭収納部の貨幣の保有数が下限値を下回る状態になってから所定時間が経過しても、釣り銭のための特定の金種の貨幣を検出できない場合に、遊技媒体貸出機から管理装置に補充要求信号を出力する。管理装置は、この補充要求信号に応じて貨幣回収機構に特定の貨幣を貨幣搬送機構の搬送路に送出させるので、遊技媒体貸出機では、送出された貨幣を取り込んで釣り銭収納部に収納することが可能になる。
【００１６】
請求項３の遊技場システムでは、遊技媒体貸出機が特定の金種の貨幣を受け付けたとき、その時点での釣り銭収納部の貨幣の保有数が上限値に達している場合には、搬出ガイドを貨幣搬送機構の搬送路に連通させることにより、受け付けられた貨幣を搬送路に搬出する。一方、特定の金種の貨幣を受け付けたときの釣り銭収納部の貨幣の保有数が上限値を下回る場合には、搬出ガイドを連絡ガイドを介して搬入ガイドに連通させることにより、受け付けられた貨幣を釣り銭収納部に導き、これを釣り銭収納部に収納する。
【００１７】
請求項４の遊技場システムでは、各遊技媒体貸出機で受け付けられた貨幣は金種を問わず貨幣搬送機構へ搬出される。各遊技媒体貸出機において、釣り銭収納部の貨幣の保有数が下限値を下回る状態が発生すると、検出手段からの入力に基づく貨幣取込制御手段の制御により、釣り銭のための特定の金種の貨幣が選別されて取り込まれ、釣り銭収納部に収納される。
【００１９】
【実施例】
図１は、この発明の一実施例である遊技場システムが導入された遊技場の島構造を示す。
遊技場の各島は、遊技機１の遊技媒体を遊技者へ貸し出すための遊技媒体貸出機としての台間機２を各遊技機１に対応させるようにして、複数台の遊技機１と複数台の台間機２とを交互に並べて構成される。遊技機１と台間機２とは島の両側沿いに背中合わせの状態で整列配置される。島の中央部には、各台間機２の後面より搬出された紙幣を島端の貨幣回収機構９０へ搬送する貨幣搬送機構７０が設けられる。
【００２０】
この実施例では、各台間機２が発行した遊技用カードは、発行元の台間機２が分散して管理するとともに、各台間機２の売上データを中央管理装置３が吸い上げるように構成されており、そのために、遊技機１、台間機２、および中央管理装置３を通信回線を介して相互に電気接続し、中央管理装置３と各遊技機１との間、中央処理装置３と各台間機２との間、さらには各遊技機１と各台間機２との間で、それぞれ情報のやり取りを行うようにしている。
なお、前記遊技媒体は、一般的には、パチンコ機ではパチンコ玉であり、スロットマシンでは遊技用メダルであるが、これらに限定されることはない。
【００２１】
この実施例の各台間機２は、遊技媒体の貸出機能と遊技用カードの発行機能とを併せ持つものであり、自機または他機、さらには専用のカード発行機（図示せず。）が発行した遊技用カードを受け付け、その遊技用カードの金額価値（保有価値）に応じた個数の遊技媒体を隣接する特定の遊技機へ貸し出すようになっている。
なお、前記遊技用カードとして、一般に「プリペイドカード」と呼ばれるカード状の磁気記録媒体、すなわち、所定の情報を磁気的に読み書きできるカード状の記録媒体が用いられるが、これに限らず、例えば記憶素子が組み込まれたＩＣカードなどを用いることも可能である。
【００２２】
また、この実施例の台間機２では、釣り銭を必要とする高額紙幣の使用が可能であり、しかも、遊技者の選択操作に基づいて、千円、二千円、三千円、五千円、一万円の５種類の遊技用カードが発行可能に構成されているが、この発明は、１種類の遊技用カードを発行する台間機にも適用でき、また、遊技用カードを発行せずに、貨幣の投入に応答して放出口へ遊技媒体を直接放出する方式の台間機にも適用できる。
【００２３】
各台間機２は、図２に示すように、前面の操作部に、高額紙幣受付許可ランプ１１、紙幣受付口１２、投入金額表示器１３、カード購入可否表示ランプ１４、５個の選択釦スイッチ１５ａ〜１５ｅ、カード購入中止釦スイッチ１６、カード挿入釦スイッチ１７、カード投入可否表示ランプ１８、カード挿入中表示ランプ１９、カード残額表示器２０、カード出入口２１、カード返却釦スイッチ２２などが設けられている。
【００２４】
高額紙幣受付許可ランプ１１は五千円札や一万円札の使用の可否を報知するためのものである。紙幣受付口１２は紙幣の投入を受け付ける部分である。投入金額表示器１３は紙幣受付口１２に投入された紙幣の合計金額を表示する。カード購入可否ランプ１４は遊技用カードの購入の可否を知らせる。５個の選択釦スイッチ１５ａ〜１５ｅは千円、二千円、三千円、五千円、一万円の５種類の遊技用カードのいずれかを選択するのに押操作される。カード購入中止釦スイッチ１６は遊技用カードの購入を中止して投入紙幣の返却を求めるためのものである。
【００２５】
カード挿入釦スイッチ１７は発行された遊技用カードの挿入を指示するのに押操作される。カード投入可否表示ランプ１８は遊技用カードの投入の可否を報知する。カード挿入中表示ランプ１９は遊技用カードが機内に挿入されていることを知らせる。カード残額表示器２０は投入された遊技用カードの残りの金額価値を表示する。カード出入口２１は遊技用カードを投入したり返却したりする部分である。カード返却釦スイッチ２２は投入された遊技用カードの返却を求めるのに押操作される。なお、この実施例の紙幣受付口１２やカード出入口２１は、縦溝形状であるが、横溝形状であってもよい。
【００２６】
台間機２の内部には、紙幣受付口１２に対応する位置に貨幣処理ユニットＵ１が、カード出入口２１に対応する位置にカード処理ユニットＵ２が、それぞれ収納配備される。
前記カード処理ユニットＵ２は、図示していないが、ケース体の内部に複数の遊技用カードを収納するためのカード収納部、発行する遊技用カードへ金額などの情報を書き込んだり、投入された遊技用カードから金額などの情報を読み取ったりする磁気ヘッドなどが組み込まれている。
【００２７】
前記貨幣処理ユニットＵ１は、図３に示すように、紙幣処理部３０と釣り銭収納部４０と紙幣搬出入機構部５０とを備える。
前記紙幣処理部３０は、紙幣受付口１２で受け付けられた紙幣の真偽や金種を判別する紙幣判別器３１と、受け付けられた高額紙幣を一時停留させる紙幣停留部３２と、紙幣受付口１２に挿入された紙幣を前記紙幣判別部３１および紙幣停留部３２を経て紙幣送出入口３３へ搬送する紙幣送り機構（図示せず。）とを備える。
【００２８】
前記釣り銭収納部４０は、釣り銭としての千円札を複数枚収納する部分であり、千円札を導出入する導出入口４７を有するケース４１の内部に、千円札を積層状態で挟持する一対の支持板４２，４３と、一方の支持板４２を支持する圧縮ばね４４と、他方の支持板４３を往復動させるソレノイド４５と、支持板４２，４３間に挟持された千円札を１枚づつ繰り出しかつ支持板４２，４３間に千円札を１枚づつ導入するための送りローラ４６と、導出入口４７を千円札が通過したことを検出するセンサ４８とが組み込まれている。ソレノイド４５の側の支持板４３には、導入された千円札を支持板４３の内側へ導いて積層するガイド部４３ａが形成されている。
【００２９】
千円札の導出に際しては、前記ソレノイド４５のロッドが引っ込んだ状態にあり、支持板４２，４３間に挟持された千円札は圧縮ばね４４のばね圧により支持板４３に押し付けられるので、送りローラ４６を回転することにより、最上位の千円札が導出される。
千円札の導入に際しては、前記ソレノイド４５のロッドが突出して千円札の積層体を支持板４２に押し付け、最上位の千円札と支持板４３のガイド部４３ａとの間隙へ千円札を導入する。この間隙へ千円札が入り込んだ時点でソレノイド４５のロッドが引っ込み動作し、これにより導入された千円札が千円札の積層体上に重ねられる。
【００３０】
前記紙幣搬出入機構部５０は、受け付けられた紙幣を前記貨幣搬送機構７０の搬送路７１へ搬出する搬出ガイド５１と、釣り銭収納部４０に補充される千円札を前記搬送路７１より搬入する搬入ガイド５２と、釣り銭収納部４０より導出された釣り銭用の千円札を紙幣処理部３０へ導くための釣り銭ガイド５３と、前記搬出ガイド５１、搬入ガイド５２、および釣り銭ガイド５３に沿って配備される複数の搬送ローラ５４と、搬出ガイド５１と釣り銭ガイド５３との分岐部に設けられる第１の通路切替機構５５と、搬入ガイド５２と釣り銭ガイド５３との分岐部に設けられる第２の通路切替機構５６とで構成される。
【００３１】
受け付けられた紙幣を貨幣搬送機構７０の搬送路７１へ搬出する場合は、搬出ガイド５１を開路して紙幣処理部３０と前記搬送路７１とが連通するように第１の通路切替機構５５を動作させる。受け付けられた紙幣を釣り銭収納部４０へ導く場合や釣り銭収納部４０の千円札を紙幣処理部３０へ導く場合は、釣り銭ガイド５３を開路して釣り銭収納部４０と紙幣処理部３０とが連通するように第１、第２の各通路切替機構５５，５６を動作させる。貨幣搬送機構７０の搬送路７１より千円札を釣り銭収納部４０に搬入する場合は、搬入ガイド５２を開路して前記搬送路７１と釣り銭収納部４０とが連通するように第２の通路切替機構５６を動作させる。
図３には図示していないが、第１、第２の通路切替機構５５，５６はソレノイドなどを駆動源として切替動作する。また、釣り銭収納部４０の送りローラ４６や複数の搬送ローラ５４は正逆回転が可能なモータを駆動源として回転動作する。
なお、この実施例では、釣り銭としての千円札を紙幣受付口１２へ導いて放出しているが、図３に破線で示すように、専用の釣り銭放出口４９を設け、釣り銭収納部４０より釣り銭放出口４９へ釣り銭を導くようにしてもよい。また、この実施例のように、全ての台間機２に釣り銭の払い出し機能を持たせる必要はなく、特に、島端部に位置する台間機２については、構造上の制約などから、釣り銭の払い出し機能を省略してもよい。
【００３２】
前記貨幣搬送機構７０は、島の両端部に配置された駆動ローラ７２と従動ローラ７３との間に張設された駆動ベルト７４と、各台間機２の位置に対応させて配置された従動ローラ７５，７６間に張設された従動ベルト７７とで構成されており、前記駆動ベルト７４と各従動ベルト７７との間には、紙幣を挟持して島端の貨幣回収機構９０まで搬送する搬送路７１が一周形成されている。
なお、貨幣搬送機構７０は、この実施例のように搬送路７１を一周させるものである必要はなく、搬送路が直線状のものであってもよい。
【００３３】
前記搬送路７１の途中の各台間機２の位置では、搬送路７１に対して各台間機２の後面より突出させた搬出ガイド５１および搬入ガイド５２を連通させている。搬送路７１と搬出ガイド５１との連絡位置には、各台間機２より搬出された紙幣を搬送路７１へ送り出すための送出ローラ７８が、また、搬送路７１と搬入ガイド５２との連絡位置には、搬送中の紙幣を搬送路７１から各台間機２へ取り込むための取込ローラ７９，７９および通路切替機構８０が、それぞれ配備される。
【００３４】
各台間機２の搬入ガイド５２と搬送路７１との連絡位置には、搬送路７１沿いに、搬送中の紙幣の通過を検出する通過センサ８１と、通過センサ８１を通過した紙幣が千円札かどうかを判別する紙幣判別器８２とが配備されている。前記紙幣判別器８２が千円札であると判別しかつその位置の台間機２が千円札の補充を必要とするとき、前記通路切替機構８０が切替動作し、前記紙幣を搬送路７１から搬入ガイド５２へ取り込む。
【００３５】
前記紙幣回収機構９０は、島端の前記搬送路７１の下流端に設けられており、取込ガイド９４により取り込まれた紙幣の金種を判別する紙幣判別器９１と、紙幣判別器９１で判別された千円札を取り込んで収納するための釣り銭収納庫９２と、紙幣判別器９１で判別された五千円札および一万円札を主として取り込んで収納するための高額紙幣収納庫９３とを備えている。
前記釣り銭収納庫９２は、取り込んだ千円札を釣り銭として一時的に保管するためのものであり、必要に応じて、釣り銭収納庫９２より千円札を送り出し、放出ガイド９５より搬送路７１へ導出する。一方、高額紙幣収納庫９３には、取り込んだ五千円札および一万円札が係員によって回収されるまで保管される。
【００３６】
なお、上記実施例の貨幣搬送機構７０は、千円札、五千円札、および一万円札を混在させて搬送するものであるが、図４に示すように、千円札のみを搬送する第１の搬送路７１Ａと、五千円札および一万円札を搬送する第２の搬送路７１Ｂとを個別に設けることも可能である。この場合、第１の搬送路７１Ａの下流端は、千円札を一時的に保管する釣り銭収納庫をもつ貨幣回収機構９０Ａに連通させる。一方、第２の搬送路７１Ｂの下流端は、五千円札および一万円札を回収する高額紙幣収納庫をもつ貨幣回収機構９０Ｂに連通させる。
また、各台間機２の搬出ガイド５１は、搬出する紙幣が千円札であれば、第１の搬送路７１Ａに連通し、それ以外の紙幣であれば、第２の搬送路７１Ｂに連通するように、搬出ガイド５１に通路切替機構９６を設ける。各台間機２の搬入ガイド５２は第１の搬送路７１Ａにのみ連通させる。
【００３７】
図５は、マイクロコンピュータを制御装置として含む台間機２の電気的な構成を示す。
図中、１００は、制御・演算の主体であるＣＰＵであり、プログラムが格納されるＲＯＭ１０１、各種データの読み書きに用いられるＲＡＭ１０２などとともに制御装置が構成される。ＣＰＵ１００は、ＲＯＭ１０１に格納されたプログラムを解読して実行し、ＲＡＭ１０２に対するデータの読み書きを行いながら、入出力各部の動作を一連に制御する。
特に、この実施例のＣＰＵ１００は、釣り銭収納部４０の釣り銭保有状態を監視する監視手段を構成しているが、釣り銭不足の監視は各台間機２で行わずに、中央管理装置３で一括して行うように構成することもできる。
【００３８】
入出力各部は、バス１０８を介してＣＰＵ１００に接続されており、操作面上の各種ランプを点灯させるランプ点灯回路１０７、投入金額表示器１３、選択釦スイッチ１５ａ〜１５ｅ、カード購入中止釦スイッチ１６、カード挿入釦スイッチ１７、カード残額表示器２０、およびカード返却釦スイッチ２２などを含んでいる。
さらに、ＣＰＵ１００には、機体の内部に組み込まれた入出力各部として、後述するタイマ１０３、遊技用カードに対する金額などの情報の読み書きを行うための磁気ヘッド１０４、投入された紙幣の真偽や金種を判別する紙幣判別器３１、紙幣処理部３０に設けられた紙幣送り機構１０５、釣り銭収納部４０に組み込まれたソレノイド４５およびセンサ４８、紙幣の送りや搬送を行うための各ローラを駆動するローラ駆動機構部１０６、紙幣搬出入機構５０を構成する第１、第２の各通路切替機構５５，５６、貨幣搬送機構７０の搬送路７１沿いに配置される通路切替機構８０、通過センサ８１、および紙幣判別器８２などが接続されている。なお、図中、１０９は遊技機２、他の台間機２、および中央管理装置３との間で情報のやり取りを行うための伝送部である。
【００３９】
図６および図７は、各台間機２におけるＣＰＵ１００による制御の流れを示し、図６には、遊技カードの発行に関わる制御の流れが、図７には、釣り銭の補充に関わる制御の流れが、それぞれ示してある。
【００４０】
図６において、ＳＴ１では、ＣＰＵ１００は紙幣受付口１２への紙幣の投入に待機している。紙幣が投入されると、ＳＴ１の判定は「ＹＥＳ」となり、紙幣判別器３１により紙幣の金種などが判別される（ＳＴ２，３）。もし、千円札であれば、ＳＴ３の判定が「ＹＥＳ」であり、釣り銭の保有枚数Ｎが上限値Ｎ１（例えばＮ１＝３０）に達していれば、その千円札は搬出ガイド５１より貨幣搬送機構７０の搬送路７１へ搬出される。もし、上限値Ｎ１に達していなければ、千円札は釣り銭ガイド５３を経て釣り銭収納部４０に取り込まれる。
【００４１】
投入された紙幣が五千円札や一万円札のような高額紙幣であって、高額紙幣の受付が禁止された状態でない場合は、ＳＴ３の判定が「ＮＯ」、ＳＴ５の判定が「ＮＯ」であり、遊技者による投入紙幣の返却操作の可能性に備えて、高額紙幣を紙幣停留部３２まで取り込んで一時停留させる（ＳＴ６）。なお、千円札については、一時停留させずに直ちに取り込むようにしたのは、返却操作があっても、釣り銭収納部４０より千円札を導出して返却することが可能であるからである。
もし、高額紙幣の受付が禁止された状態であれば、ＳＴ５の判定が「ＹＥＳ」であり、ＳＴ１３へ進んで、投入された紙幣が返却される。
【００４２】
紙幣の搬出、取込、または一時停留の後、ＣＰＵ１００は投入金額の合計値を算出する（ＳＴ７）。合計値が１万円であれば、ＳＴ８の判定が「ＹＥＳ」であり、紙幣の受付を禁止した後、合計値を投入金額表示器１３に表示させる（ＳＴ９，１０）。もし、合計値が１万円より小さければ、ＳＴ８の判定が「ＮＯ」、ＳＴ１１の判定が「ＮＯ」であり、合計値が投入金額表示器１３に表示される（ＳＴ１０）。もし、合計値が１万円を越えていれば、ＳＴ８の判定が「ＮＯ」、ＳＴ１１の判定が「ＹＥＳ」となり、１万円を越える要因となった最終の投入紙幣の金額を減算した後、その紙幣を返却する（ＳＴ１２，１３）。
【００４３】
つぎに、ＣＰＵ１００は、ＳＴ１で紙幣の追加投入に、ＳＴ１４で選択釦スイッチ１５ａ〜１５ｅの操作に、ＳＴ１５でカード購入中止釦スイッチ１６の操作に、それぞれ待機する。
紙幣の追加投入があれば、ＳＴ１の判定が「ＹＥＳ」となってＳＴ２以降へ進み、前記と同様の手順が実行される。選択釦スイッチ１５ａ〜１５ｅのいずれかが押操作されれば、ＳＴ１４の判定が「ＹＥＳ」となり、選択された遊技用カードの金額が合計値以下であるかどうかが判定される（ＳＴ１６）。
【００４４】
もし、合計値以下であれば、ＳＴ１６の判定が「ＹＥＳ」となり、ＣＰＵ１００は、遊技用カードを発行させ（ＳＴ１７）、もし、高額紙幣が紙幣停留部３２に停留中であれば、ＳＴ１８の判定が「ＹＥＳ」となり、停留中の紙幣を搬出ガイド５１を経て貨幣搬送機構７０の搬送路７１へ搬出する（ＳＴ１９）。停留中の紙幣がなければ、ＳＴ１８の判定が「ＮＯ」であり、ＳＴ１９はスキップされる。
選択された遊技用カードの金額が合計値より大きければ、ＳＴ１６の判定は「ＮＯ」であり、紙幣の追加投入に待機する（ＳＴ１）。
【００４５】
つぎのＳＴ２０では、釣り銭が必要かどうかを判定しており、その判定が「ＹＥＳ」であれば、ＣＰＵ１００は、釣り銭収納部４０より釣り銭の金額に相当する枚数の千円札を導出させ、紙幣受付口１２へ釣り銭を放出する。このとき、ＣＰＵ１００は、千円札の放出枚数を計数し、その分、保有枚数Ｎより差し引く。釣り銭が必要でなければ、ＳＴ２０の判定は「ＮＯ」であり、ＳＴ２１はスキップされる。
【００４６】
ＳＴ１、ＳＴ１４、ＳＴ１５の待機状態において、カード購入中止釦スイッチ１６が押操作されると、ＳＴ１５の判定が「ＹＥＳ」となり、ＳＴ２２で投入紙幣の合計値が０でないことを確認した上で、投入金額に相当する紙幣が紙幣受付口１２に返却される（ＳＴ２３）。
【００４７】
図７は、釣り銭の補充に関わる制御の流れを示すもので、ＳＴ１では、ＣＰＵ１００は、釣り銭収納部４０における釣り銭の保有状態を監視している。いま、釣り銭の放出によって釣り銭収容部４０の千円札の保有枚数Ｎが下限値Ｎ０（例えばＮ０＝１５）より少なくなったとき、ＳＴ１の判定が「ＹＥＳ」となり、ＣＰＵ１００は、釣り銭不足として、高額紙幣の受付を禁止するとともに、搬送路７１より千円札を選別して補充するために、紙幣判別器８２を能動状態に設定して、千円札の搬入に待機する（ＳＴ２，３）。
【００４８】
つぎのＳＴ４では、ＣＰＵ１００は、タイマ１０３に計時動作を開始させ、搬送路７１の通過センサ８１は紙幣の通過に待機する。紙幣の通過が通過センサ８１で検知されると、ＳＴ５の判定が「ＹＥＳ」となり、ＣＰＵ１００は、タイマ１０３の計時を一時中断させる（ＳＴ７）。通過センサ８１で検知された紙幣は紙幣判別器８２により千円札かどうかが判別され、千円札と判断されると、ＳＴ８の判定は「ＹＥＳ」となり、ＣＰＵ１００は搬送路７１の通路切替機構８０を切替動作させて、千円札を搬送路７１から搬入ガイド５１へ取り込む（ＳＴ９）。もし、千円札でなければ、ＳＴ８の判定は「ＮＯ」であり、タイマ１０３の計時動作を再開させる（ＳＴ１３）。
【００４９】
千円札が台間機２の内部に取り込まれると、ＣＰＵ１００は、千円札の保有枚数Ｎを１加算し（ＳＴ１０）、タイマ１０３の計時を停止させ（ＳＴ１１）、千円札の保有枚数Ｎが上限値Ｎ１に達したかどうかを判定する（ＳＴ１２）。その判定が「ＮＯ」であれば、ＳＴ４へ戻って再びタイマ１０３を作動させ、つぎの千円札の到来に待機する。もし、千円札の保有枚数Ｎが上限値Ｎ１に達すれば、ＳＴ１２の判定が「ＹＥＳ」であれば、ＣＰＵ１００は、高額紙幣の受付禁止を解除し、紙幣判別器８１を非能動状態に戻して千円札の補充を完了する（ＳＴ１５，１６）。
【００５０】
もし、千円札が到来せず、タイマ１０３が所定の時間計時してタイムアップすると、ＳＴ５の判定が「ＮＯ」、ＳＴ６の判定が「ＹＥＳ」となり、ＣＰＵ１００は、貨幣回収機構９０が千円札を放出するように、中央管理装置３に対して補充要求信号を伝送部１０９より出力する（ＳＴ１４）。
【００５１】
図８は、貨幣回収機構９０の動作の流れを示すもので、ＳＴ１で搬送路７１からの紙幣の搬入に待機し、ＳＴ６で中央管理装置３からの千円札の放出指令に待機している。紙幣の搬入があると、ＳＴ１の判定が「ＹＥＳ」であり、つぎのＳＴ２で、搬入された紙幣が千円札かどうかが紙幣判別器９１で判別される。千円札でなければ、ＳＴ２の判定は「ＮＯ」であり、その紙幣は高額紙幣収納庫９３に取り込まれる。もし千円札であれば、ＳＴ２の判定は「ＹＥＳ」であり、つぎのＳＴ３で、釣り銭収納庫９２が満杯状態かどうかが判定される。満杯状態でなければ、ＳＴ３の判定が「ＮＯ」であり、千円札は釣り銭収納庫９２に取り込まれるが（ＳＴ４）、もし、満杯状態であれば、ＳＴ３の判定が「ＹＥＳ」であり、千円札は高額紙幣収納庫９３の方に取り込まれる（ＳＴ５）。
【００５２】
ＳＴ１、ＳＴ６の待機状態において、中央管理装置３がいずれかの台間機２より補充要求信号を受けて千円札の放出指令を貨幣回収機構９０へ送出したとき、ＳＴ６の判定が「ＹＥＳ」となり、つぎのＳＴ７で、釣り銭収納庫９２に千円札があることが確認された上で、千円札が釣り銭収納庫９２より放出される（ＳＴ８）。
なお、この実施例では、台間機２の釣り銭収納部４０から搬送路７１への千円札の搬出はできない構成になっているが、これを可能な構成に設計変更し、釣り銭の保有枚数Ｎに余裕がある場合に限り、釣り銭不足が発生した下流側の台間機２からの要求を受けて、余裕枚数だけ千円札を搬送路７１へ搬出するようにしてもよい。
【００５３】
【発明の効果】
この発明は上記の如く、複数種の金種の貨幣のいずれかを受け付けて遊技媒体の貸出用の記憶媒体を発行する機能と、発行された記憶媒体を用いて遊技媒体を貸し出す機能とを具備する遊技媒体貸出機において、受け付け可能な貨幣の中で金額価値が最も低い特定の金種の貨幣を釣り銭として複数枚収納する釣り銭収納部を設け、釣り銭収納部に保有されている釣り銭が不足したときに受け付けた特定の金種の貨幣を釣り銭収納部に導いて収納させると共に、さらに釣り銭が不足する状態になったときには、貨幣搬送機構より釣り銭のための特定の金種の貨幣を取り込んで釣り銭収納部に収納するようにしたから、薄型の台間機であっても、釣り銭を必要とする高額紙幣を使用でき、しかも、頻繁な釣り銭不足の発生を防止できる。
【００５４】
請求項２および請求項６の発明では、釣り銭収納部の貨幣の保有数が下限値を下回る状態になってから所定時間が経過しても、釣り銭のための特定の金種の貨幣を取り込むことができない場合には、遊技媒体貸出機から管理装置に補充要求信号を出力することにより、貨幣回収機構から特定の貨幣を貨幣搬送機構の搬送路に送出することができる。よって、遊技媒体貸出機では、送出された貨幣を取り込んで釣り銭収納部に収納することが可能になる。
【００５６】
請求項４の発明では、複数の金種の貨幣を混在させて搬送路で搬送するようにし、各遊技媒体貸出機では、複数の金種の貨幣のうち釣り銭に用いられる特定の金種の貨幣を選別して搬送路より取り込むようにしたから、構造が簡易かつ小型の貨幣搬送機構を使用できる。
【図面の簡単な説明】
【図１】この発明の一実施例である遊技場システムの構成を示す平面図である。
【図２】台間機の正面図である。
【図３】台間機の貨幣処理ユニットの構成を示す平面図である。
【図４】この発明の他の実施例の概略構成を示す平面図である。
【図５】台間機の電気的な構成を示すブロック図である。
【図６】台間機の制御の流れを示すフローチャートである。
【図７】台間機の制御の流れを示すフローチャートである。
【図８】貨幣回収機構の制御の流れを示すフローチャートである。
【符号の説明】
１    遊技機
２    台間機
４０  釣り銭収納部
５０  紙幣搬出入機構
７０  貨幣搬送機構
７１  搬送路
７１Ａ  第１の搬送路
７１Ｂ  第２の搬送路
９０  貨幣回収機構
【図１】
0004401487.tif 000002
【図２】
0004401487.tif 000003
【図３】
0004401487.tif 000004
【図４】
0004401487.tif 000005
【図５】
0004401487.tif 000006
【図６】
0004401487.tif 000007
【図７】
0004401487.tif 000008
【図８】
0004401487.tif 000009